(57)【要約】【解決手段】流体の運動エネルギーを電気エネルギーに変換する装置が開示される。この装置は、圧力容器と、一対の電荷収集電極と、電場生成器と、を備える。圧力容器は、流体の入口ポートを備える。一対の電荷収集電極は、収集方向に沿って互いに間隔を空けて、圧力容器内に配置される。電場生成器は、流体内の荷電種を分離するために、圧力容器内に電場の方向に沿った電場を生成するように構成される。開示される他の装置は、電荷の蓄積又は電磁放射による照射を促進するために、電流発生遅延手段を与える。他の装置は、圧力でなく流体の流れのために構成される。この装置を備えるシステムと、関連する方法も開示される。本開示は、応用、例えば電気自動車のためのエネルギー源を与えるものも提供する。【選択図】図１
2022500985.tif 000002
【特許請求の範囲】
【請求項１】
流体の運動エネルギーを電気エネルギーに変換する装置であって、
圧力容器と、
一対の電荷収集電極と、
電場生成器と、を備え、
前記圧力容器は、流体の入口ポートを備え、前記入口ポートから流入した加圧された流体を当該圧力容器内に保持するように構成され、
前記一対の電荷収集電極は、収集方向に沿って互いに間隔を空けて、前記圧力容器内に配置され、
前記電場生成器は、前記流体内の荷電種を分離するために、前記圧力容器内に電場の方向に沿った電場を生成するように構成されることを特徴とする装置。
【請求項２】
前記電場は、前記流体をイオン化するためのイオン化電場であることを特徴とする請求項１に記載の装置。
【請求項３】
前記電場生成器は、一対の電場生成電極を備え、
前記一対の電場生成電極は、前記電場の方向に沿って間隔を空けて、前記圧力容器の両側に配置されることを特徴とする請求項１又は２に記載の装置。
【請求項４】
前記電場生成電極は、前記圧力容器から電気的に絶縁されていることを特徴とする請求項３に記載の装置。
【請求項５】
前記電場の方向と前記収集方向とは、実質的に平行であることを特徴とする請求項１から４のいずれかに記載の装置。
【請求項６】
前記圧力容器は、前記一対の電荷収集電極の間に隔壁を備え、
前記隔壁は、前記圧力容器を、前記入口ポートに接続され前記一対の電荷収集電極の一方を備える第１の部分と、さらなる入口ポートに接続され前記一対の電荷収集電極の他方を備える第２の部分とに密閉的に隔てることを特徴とする請求項１から５のいずれかに記載の装置。
【請求項７】
前記電荷収集電極上に所定の電荷が蓄積されるまで前記電荷収集電極で電流が発生するのを遅延させる、電流発生遅延手段を備えることを特徴とする請求項１から６のいずれかに記載の装置。
【請求項８】
前記電流発生遅延手段は、さらなる圧力容器と、さらなる電極と、を備え、
前記さらなる圧力容器は、前記圧力容器から突出した前記電荷収集電極の一部の周囲を密封し、
前記さらなる電極は、前記さらなる圧力容器内に配置され、
前記電荷収集電極及び前記さらなる電極のそれぞれの自由端は、それぞれの電極間に火花間隙を形成することを特徴とする請求項７に記載の装置。
【請求項９】
一対の電荷収集電極に代えて、単一の電荷収集電極を備えることを特徴とする請求項１から４のいずれかに記載の装置。
【請求項１０】
前記圧力容器内の加圧された流体を照射するための電磁放射源を備えることを特徴とする請求項１から９のいずれかに記載の装置。
【請求項１１】
前記電磁放射源は、波長が１２０ｎｍ以上８２０ｎｍ以下の電磁放射を生成するように構成されることを特徴とする請求項１０に記載の装置。
【請求項１２】
加圧流体のポテンシャルエネルギーを電気エネルギーに変換する方法であって、
圧力容器内の圧力を維持するために、加圧流体を発生させるステップと、
前記圧力容器を流れる前記加圧流体に電場を与えるステップと、
前記電場により、前記流体の正及び負の荷電種を前記電場の方向に沿って分離するステップと、
正及び負の荷電種の１つ又は各々の少なくとも一部を、それぞれの電流収集器で収集するステップと、
負荷に電気エネルギーを与えるために、前記電流収集器の１つから電流を引き出すステップと、を備えることを特徴とする方法。
【請求項１３】
正及び負の荷電種を含むイオン化された流体を生成するために、流れる前記流体に前記電場を与えることにより、前記流体をイオン化するステップを備えることを特徴とする請求項１２に記載の方法。
【請求項１４】
前記流体をイオン化するステップは、プラズマを生成するステップを備えることを特徴とする請求項１３に記載の方法。
【請求項１５】
前記流体をイオン化するステップは、暗放電又はコロナ放電などの放電を発生させるステップを備えることを特徴とする請求項１３又は１４に記載の方法。
【請求項１６】
電荷収集電極上に所定の電荷が蓄積されるまで前記電荷収集電極で電流が発生するのを遅延させるステップを備えることを特徴とする請求項１２から１５のいずれかに記載の方法。
【請求項１７】
前記電流が発生するのを遅延させるステップは、前記圧力容器外に突出した前記電荷収集電極の自由端とそれぞれの電荷収集電極との間にある火花間隙で火花が発生するまで、電流が発生するのを遅延させるステップを備えることを特徴とする請求項１６に記載の方法。
【請求項１８】
前記圧力容器内の圧力を維持するために前記加圧流体を発生させている間、前記加圧流体を電磁放射で照射するステップを備えることを特徴とする請求項１２から１７のいずれかに記載の方法。
【請求項１９】
前記圧力容器内の圧力を維持するために前記加圧流体を発生させている間、前記加圧流体を波長が１２０ｎｍ以上８２０ｎｍ以下の電磁放射で照射するステップを備えることを特徴とする請求項１２から１７のいずれかに記載の方法。
【請求項２０】
流体の運動エネルギーを電気エネルギーに変換する装置であって、
フローチェンバと、
一対の電荷収集電極と、
電場生成器と、
圧力容器内の加圧流体を照射するための電磁放射の源と、を備え、
前記フローチェンバは、流体の入口ポートと流体の排出ポートとを備え、
前記一対の電荷収集電極は、収集方向に沿って互いに間隔を空けて、前記フローチェンバ内に配置され、
前記電場生成器は、前記流体内の荷電種を分離するために、前記フローチェンバ内に電場の方向に沿った電場を生成するように構成され、
前記電磁放射の源は、波長が１２０ｎｍ以上８２０ｎｍ以下の電磁放射を生成するように構成されることを特徴とする装置。
【請求項２１】
加圧流体のポテンシャルエネルギーを電気エネルギーに変換する方法であって、
圧力容器内の圧力を維持するために、加圧流体を発生させるステップと、
電場生成器を用いて、前記圧力容器を流れる前記加圧流体に電場を与えるステップと、
正及び負の荷電種の１つ又は各々の少なくとも一部を、それぞれの電流収集器で収集するステップと、
負荷に電気エネルギーを与えるために、前記電流収集器の１つから電流を引き出すステップと、
前記加圧流体を発生させている間、波長が１２０ｎｍ以上８２０ｎｍ以下の電磁放射で前記加圧流体を照射するステップと、を備えることを特徴とする方法。
【請求項２２】
流体の運動エネルギーを電気エネルギーに変換する装置であって、
フローチェンバと、
一対の電荷収集電極と、
電場生成器と、
電流発生遅延手段と、を備え、
前記フローチェンバは、流体の入口ポートと流体の排出ポートとを備え、
前記一対の電荷収集電極は、収集方向に沿って互いに間隔を空けて、前記フローチェンバ内に配置され、
前記電場生成器は、前記流体内の荷電種を分離するために、前記フローチェンバ内に電場の方向に沿った電場を生成するように構成され、
前記電流発生遅延手段は、前記電荷収集電極上に所定の電荷が蓄積されるまで前記電荷収集電極で電流が発生するのを遅延させ、
前記電流発生遅延手段は、さらなる圧力容器と、さらなる電極と、を備え、
前記さらなる圧力容器は、前記圧力容器から突出した前記電荷収集電極の一部の周囲を密封し、
前記さらなる電極は、前記さらなる圧力容器内に配置され、
前記電荷収集電極及び前記さらなる電極のそれぞれの自由端は、それぞれの電極間に火花間隙を形成することを特徴とする装置。
【請求項２３】
加圧流体のポテンシャルエネルギーを電気エネルギーに変換する方法であって、
フローチェンバを通る流れ方向に沿った前記加圧流体の流れを発生させるステップと、
電場生成器を備えた前記フローチェンバを流れる前記流体に電場を与えるステップと、
正および負の荷電種の１つまたは各々の少なくとも一部を、それぞれの電流収集器で収集するステップと、
負荷に電気エネルギーを与えるために、前記電流収集器の１つから電流を引き出すステップと、
電荷収集電極上に所定の電荷が蓄積されるまで前記電荷収集電極で電流が発生するのを遅延させるステップと、を備え、
前記電流が発生するのを遅延させるステップは、圧力容器外に突出した前記電荷収集電極の自由端とそれぞれの電荷収集電極との間にある火花間隙で火花が発生するまで、電流が発生するのを遅延させるステップを備えることを特徴とする方法。
【請求項２４】
流体の運動エネルギーを電気エネルギーに変換する装置であって、
フローチェンバと、
単一の電荷収集電極と、
電場生成器と、を備え、
前記フローチェンバは、流体の入口ポートと流体の排出ポートとを備え、
前記単一の電荷収集電極は、前記フローチェンバ内に配置され、
前記電場生成器は、前記流体内の荷電種を分離するために、前記フローチェンバ内に電場の方向に沿った電場を生成するように構成されることを特徴とする装置。
【請求項２５】
前記電場生成器は、一対の電場生成電極を備え、
前記一対の電場生成電極は、
前記電場の方向に沿って間隔を空けて、前記フローチェンバの両側に配置され、
前記電場生成電極は、前記フローチェンバから電気的に絶縁されていることを特徴とする請求項２０、２２若しくは２４のいずれかに記載の装置又は請求項２１若しくは２３に記載の方法。
【請求項２６】
前記電場生成器は、パルス化された電場を生成することを特徴とする請求項１から１１、２０、２２、２４又は２５のいずれかに記載の装置。
【請求項２７】
電場を与えるステップは、パルス化された電場を与えるステップを備えることを特徴とする請求項１２から１９、２１又は２３のいずれかに記載の方法。
【請求項２８】
流体の運動エネルギーを電気エネルギーに変換する装置であって、
流体の運動エネルギーを電気エネルギーに変換する装置であって、
フローチェンバと、
一対の電荷収集電極と、
電場生成器と、を備え、
前記フローチェンバは、流体の入口ポートと流体の排出ポートとを備え、
前記一対の電荷収集電極は、収集方向に沿って互いに間隔をあけて配置され、前記フローチェンバ内に配置され、
前記電場生成器は、前記流体内の荷電種を分離するために、前記フローチェンバ内に電場の方向に沿った電場を生成するように構成されることを特徴とする装置。
【請求項２９】
加圧流体のポテンシャルエネルギーを電気エネルギーに変換する方法であって、
フローチェンバを通る流れ方向に沿った前記加圧流体の流れを発生させるステップと、
電場生成器を備えた前記フローチェンバを流れる前記流体に電場を与えるステップと、
正および負の荷電種の１つまたは各々の少なくとも一部を、それぞれの電流収集器で収集するステップと、
負荷に電気エネルギーを与えるために、前記電流収集器の１つから電流を引き出すステップと、を備えることを特徴とする方法。
【請求項３０】
流体の運動エネルギーを電気エネルギーに変換するシステムであって、
請求項１から１１、２０、２２、２４、２５、２６又は２８のいずれかに記載の装置と、
電場を生成するための、電流制限電圧供給装置と、
一対の電荷収集電極の１つに接続された負荷と、を備えることを特徴とするシステム。
【請求項３１】
加圧流体を含むコンテナに前記入口ポートを接続するためのコネクタを備えることを特徴とする請求項３０に記載のシステム。
【請求項３２】
前記コンテナは、前記コネクタに取り外し可能に接続され、
これにより空のコンテナは、加圧流体を含む新しいコンテナに交換可能であることを特徴とする請求項３１に記載のシステム。
【請求項３３】
前記負荷は、電気モータであることを特徴とする請求項３０から３２のいずれかに記載のシステム。
【請求項３４】
前記電気モータは、例えば、電気又はハイブリッドの自動車、自転車、三輪車、船、列車又は飛行機などの電気式輸送機関に搭載されることを特徴とする請求項３３に記載のシステム。
【請求項３５】
前記負荷は、電力会社サブステーションなどの電力供給ネットワーク又は１つ以上の民間会社もしくは住宅ユニットの電力供給ネットワークを備えることを特徴とする請求項３０から３２のいずれかに記載のシステム。
【請求項３６】
前記流体は、空気、アルゴン又はネオンなどのガスであることを特徴とする請求項１から３５のいずれかに記載の装置、システム、又は方法。
【請求項３７】
前記流体は、不活性ガスであることを特徴とする請求項１から３６のいずれかに記載の装置、システム、又は方法。
【請求項３８】
前記流体の流率は、０．１ｍｌ／分とは異なることを特徴とする請求項１から３７のいずれかに記載の装置、システム、又は方法。
【請求項３９】
前記流体の圧力は、１０バールとは異なることを特徴とする請求項１から３８のいずれかに記載の装置、システム、又は方法。
【請求項４０】
前記流体の流率は、０．１ｍｌ／分未満であることを特徴とする請求項１から３９のいずれかに記載の装置、システム、又は方法。
【発明の詳細な説明】
【技術分野】
【０００１】
本開示は、エネルギーの貯蔵及び変換に関する。具体的には本開示は、ガス等の流体内の運動エネルギー又はポテンシャルエネルギーの、電気エネルギーへの変換に関する。
【背景技術】
【０００２】
大半のポータブルなエネルギー貯蔵技術は、電池又は燃料電池内への化学的なエネルギーの貯蔵、必要なときの電気エネルギーへの変換を含む。電池や燃料電池の開発及び改良に向けて多くの精力的に研究が進められ、電池の製品寿命や燃料電池の安全性といった課題の解決が図られている。
【０００３】
ガス又は液体のポテンシャル（圧力）エネルギーの形によるエネルギー貯蔵もまた知られている。例えば、需要が低いときは電気を使って水をより高いポテンシャルまで吸い上げる一方、需要が高いときは吸い上げられた水を発電タービンを通して落下させる技術が知られている。同様に、一定圧力（例えば、海底貯蔵）や一定体積（例えば、地下貯蔵）のガスの形によるエネルギー貯蔵も知られている。しかしながらこうした形のエネルギー貯蔵では、貯蔵したエネルギーを電気エネルギーに変換するための、タービンや電力装置を含む大規模な設備や複雑な構造が必要である。
【発明の概要】
【発明が解決しようとする課題】
【０００４】
改良された代替的な形でのエネルギー貯蔵が常に求められている。特にこうした新しい形のエネルギー貯蔵では、必須でないとはいえ、例えば電気自動車に搭載できるような小規模なものが求められる。
【課題を解決するための手段】
【０００５】
第１の態様では、流体のエネルギーを電気エネルギーに変換する装置は、流体の入口ポートと流体の排出ポートとを備えるフローチェンバを備える。一対の電荷収集電極が、収集方向に沿って互いに間隔を空けて、フローチェンバ内に配置される。電場生成器が、流体内の荷電種を分離するために、フローチェンバ内に電場の方向に沿った電場を生成するように構成される。流体の入口ポートと流体の排出ポートとの間の流路が、収集方向に沿う成分と電場の方向に沿う成分とを有する流れ方向を持つ。
【０００６】
電場によって分離された正及び負の荷電種のうち第１のものは、電場によって、一般に流体の流れと同じ方向に運動するようにバイアスされる。正及び負の荷電種のうち第２のものは、一般に流体の流れと逆の方向に運動するようにバイアスされる（これにより、電場により誘起された運動の方向と流れの方向のスカラー積は、それぞれ正及び負となる）。流れは荷電種に異なった効果を与える。従って、電場に起因するものに加えて、電荷収集電極の間に追加的な荷電分離が発生する。これにより、流れの運動エネルギー（これは例えば、圧縮された流体容器内の圧力のポテンシャルエネルギーの結果である）が、負荷で消費可能な電気エネルギーに変換される。荷電種の異なる運動を含むイオン化ガスその他の流体の場合、荷電種の一方（例えばガスイオン）は、荷電種の他方（例えば電子）より強く、流体の流れから影響を受けるだろう。その結果、より強く流れから影響を受けやすい方の荷電種が、優先的に排出ポートを通ってフローチェンバから離れるだろう。これに対し他方の荷電種は、それぞれのキャプチャ電極によって優先的にキャプチャされるだろう。これによりキャプチャ電極間のポテンシャル差が増大し、過剰電荷に相当する電気エネルギーが与えられる。
【０００７】
本開示で動作の原理が記述されたとしても、それは説明のためであり、開示の範囲を限定するものではないことが理解されるだろう。
【０００８】
いくつかの実施の形態では、電場の方向と流れ方向とは実質的に平行であってもよい。いくつかの実施の形態では、収集方向と流れ方向とは実質的に平行であってもよい。有利なことに、これは流体の効果を最大化するだろう。とはいえ、流れ方向と電場の方向及び／又は収集方向とのスカラー積がゼロでない限り、一定の効果は存在する。いくつかの実施の形態では、電場の方向と流れ方向との間の角度、及び／又は、収集方向と流れ方向との間の角度は、−ｎ度以上ｎ度以下、又は（１８０−ｎ）度以上（１８０＋ｎ）度以下であってよい。ここでｎは４５より小さく、例えば３０、２０又は１０である。いくつかの実施の形態では、ｎは５より小さくてよい。いくつかの実施の形態では、電場の方向と収集方向とは、実質的に平行であってよい。いくつかの実施の形態では、流路は、電荷収集電極の一方又は両方を通る。例えば、電荷収集電極はメッシュ電極であってよい。電荷収集電極の中心軸は、流路の少なくとも一部に相当する軸と一致してよい。
【０００９】
第２の態様では、流体のエネルギーを電気エネルギーに変換する装置は、流体の入口ポートを有する圧力容器を備える。一対の電荷収集電極が、収集方向に沿って互いに間隔を空けて、圧力容器内に配置される。電場生成器が、流体内の荷電種を分離するために、圧力容器内に電場の方向に沿った電場を生成するように構成される。第１の態様と同様に、この態様も、運動エネルギー（加圧流体内のランダムな粒子運動の形を取る）を電気エネルギーに変換する。
【００１０】
いくつかの実施の形態では、圧力容器は、入口ポートに与えられる圧力が１０バールのとき、通過する流体（例えばネオンなどの不活性ガス）の流れを０．１ｍｌ／分未満に制限するように構成された排出ポートを有してもよい。
【００１１】
前述の態様のいくつかの実施の形態では、装置は、加圧流体及び／又は圧力容器内の電荷収集電極を照射するための電磁放射（例えば紫外線）の源を備えてもよい。電磁放射の源は、波長が１２０ｎｍ以上８２０ｎｍ以下の電磁放射を生成するように構成されてもよい。実際には、使われる波長は、電荷収集電極の材料に依存してもよい（例えば、タングステンの場合、２７５ｎｍとか、１２０ｎｍ以上２７５ｎｍ以下といったように）。
【００１２】
前述の態様のいくつかの実施の形態では、装置は、電荷収集電極上に所定の電荷が蓄積されるまで電荷収集電極で電流が発生するのを遅延させるための、電流発生遅延手段を備えてもよい。電流発生遅延手段は、さらなる圧力容器と、さらなる電極と、を備えてもよい。このとき、さらなる圧力容器は、当該圧力容器から突出した電荷収集電極の一部の周囲を密封し、さらなる電極は、さらなる圧力容器内に配置され、電荷収集電極及びさらなる電極のそれぞれの自由端は、それぞれの電極間に火花間隙を形成してもよい。電流発生遅延手段は、時間スイッチ、電圧又は電流トリガー型リレー、ダイオード等を備えてもよい。
【００１３】
第３の態様では、流路は、前述のものに代えて、好適な任意の流路であってよい。このとき装置は、以下を備える。
・加圧流体及び／又は圧力容器内の電荷収集電極を照射するための電磁放射の源。好ましくは、電磁放射の源は、波長が１２０ｎｍ以上８２０ｎｍ以下の電磁放射を生成するように構成される。
・電荷収集電極上に所定の電荷が蓄積されるまで電荷収集電極で電流が発生するのを遅延させるための、電流発生遅延手段。好ましくは、電流発生遅延手段は、さらなる圧力容器と、さらなる電極と、を備える。さらなる圧力容器は、当該圧力容器から突出した電荷収集電極の一部の周囲を密封する。さらなる電極は、さらなる圧力容器内に配置される。電荷収集電極及びさらなる電極のそれぞれの自由端は、それぞれの電極間に火花間隙を形成する。
【００１４】
前述の態様のいくつかの実施の形態では、電場は、流体をイオン化するためのイオン化電場である。流体は、空気、アルゴン又はネオンなどのガスであってよい。流体をイオン化することは、フローチェンバ内に、プラズマを生成すること、及び／又は、暗放電又はコロナ放電などの放電を発生させることを含んでよい。このような実施の形態では、荷電種の一方はガス分子から引き剥がされた電子であり、荷電種の他方はそれにより生じた正の荷電ガスイオンである。特に流体の流れは、自由電子より荷電イオンに対して強く影響するだろう。その結果、流体の流れによって、電子より多くの荷電イオンが差動的にフローチェンバを離れる。これにより荷電分離が促進され、電荷収集電極間の電気ポテンシャルが増大する。他の実施の形態では、流体は例えば、溶液内に正及び負に帯電したイオンが存在する液体であってもよい。
【００１５】
電場生成器は、連続的な電場又は時間的に変化する電場（例えば、強さが連続的なパルスとして時間変化するパルス電場）を生成するように構成されてよい。いくつかの実施の形態では、電場生成器は一対の電場生成電極を備え、この一対の電場生成電極は、電場の方向に沿って間隔を空けて、フローチェンバの両側に配置される。いくつかの実施の形態では、電場生成電極は、電荷生成電極によって与えられてもよい。他の実施の形態では、電場生成電極は、荷電収集電極から分離されてもよく、フローチェンバから電気的に絶縁されてもよい。
【００１６】
電場生成電極は、任意の好適な電圧源（例えば、任意の高電圧（ＨＶ）供給源で電力源としてバッテリーを備えるもの）によって駆動されてもよい。追加的又は代替的に、好適な電圧源はＨＶキャパシタを備えてもよい。電圧源は、電荷を分離する電場のパルスの連続を生成するパルス電場生成器を与える、パルス電圧源であってもよい。
【００１７】
前述の態様のいくつかの実施の形態では、電荷収集電極の対ではなく、単一の電荷収集電極が、フローチェンバ内又は（状況に応じて）圧力容器内に配置されてもよい。
【００１８】
第４の態様では、流体の運動エネルギーを電気エネルギーに変換する方法は、フローチェンバを通る流れ方向に沿った流体の流れを発生させるステップを備える。流体は加圧流体であってよい。流体の流れを発生させるステップは、加圧流体のポテンシャルエネルギーを流体の流れの運動エネルギーに変換してよい。フローチェンバを流れる流体に電場が与えられる。電場は、流れ方向に沿う成分を有する電場の方向を持つ。これにより、流体の正及び負の荷電種が電場の方向に沿って分離され、正及び負の荷電種の一方は、流れ方向の成分を有する方向に運動するようにバイアスされ、正及び負の荷電種の他方は、流れ方向と逆方向の成分を有する方向に運動するようにバイアスされる。正及び負の荷電種の各々は、それぞれの電流収集器で収集される。そして、電流収集器の１つから負荷に電流が流れる。
【００１９】
いくつかの実施の形態では、この方法は、負荷で消費されたエネルギーを表す量を検知するステップと、流体の流率を、負荷で消費されたエネルギーを表す量の関数として調整するステップと、を備える。追加的又は代替的に、この方法は、負荷に必要なエネルギーを表す量を受信するステップと、流体の流率を、負荷に必要なエネルギーを表す量の関数として調整するステップと、を備えてもよい。
【００２０】
第５の態様では、流体の運動エネルギーを電気エネルギーに変換する方法は、圧力容器内の圧力を維持するために、加圧流体を発生させるステップを備える。圧力容器内の流体に電場が与えられる。その結果、流体の正及び負の荷電種が前記電場の方向に沿って分離する。正及び負の荷電種の１つ又は各々の少なくとも一部は、それぞれの電流収集器で収集される。負荷に電気エネルギーを与えるために、電流収集器の１つから電流が引き出される。
【００２１】
いくつかの実施の形態では、圧力容器からの流体の小さな流れ（０．１ｍｌ／分未満）の存在下で、圧力は維持される。
【００２２】
前述の態様のいくつかの実施の形態では、この方法は、加圧流体を発生させている間、加圧流体及び／又は電荷収集電極を電磁放射（好ましくは、波長が１２０ｎｍ以上８２０ｎｍ以下の電磁放射で）で照射するステップを備える。前述の態様のいくつかの実施の形態では、この方法は、電荷収集電極上に所定の電荷が蓄積されるまで電流収集電極からの電流を遅延させるステップを備える。好ましくは、電流を遅延させるステップは、圧力容器外に突出した電流収集電極の自由端とそれぞれの電流収集電極との間にある火花間隙で火花が発生するまで、電流を遅延させるステップを備える。前述の態様のいくつかの実施の形態では、電場は、電場をパルス化することによって（例えば、電場の長さに応じたパルス波形を得るために、電圧をパルス化することによって）与えられる。
【００２３】
第６の態様では、前述の方法の実施の形態において、任意の流路が使われる。このとき方法は、以下を備える。
・加圧流体を発生させている間、加圧流体を電磁放射（好ましくは、波長が１２０ｎｍ以上８２０ｎｍ以下の電磁放射で）で照射するステップ。
・電荷収集電極上に所定の電荷が蓄積されるまで電流収集電極からの電流を遅延させるステップ。好ましくは、この電流を遅延させるステップは、圧力容器外に突出した電流収集電極の自由端とそれぞれの電流収集電極との間にある火花間隙で火花が発生するまで、電流を遅延させるステップを備える。
【００２４】
前述の態様のいくつかの実施の形態では、この方法は、正及び負の荷電種を含むイオン化された流体を生成するために、流れる流体に電場を与えることにより、流体（例えばガス）をイオン化するステップを備える。流体をイオン化するステップは、プラズマを生成するステップ及び暗放電又はコロナ放電などの放電を発生させるステップを１つ以上備えてもよい。
【００２５】
第７の態様では、流体のエネルギーを電気エネルギーに変換するシステムは、前述の任意の装置を備える。システムは、イオン化された電場を生成するための電流制限電圧供給装置さらに備える。いくつかの実施の形態では、負荷は、よりポテンシャルの低い方の電極（すなわち、供給器の負電極に集められる複合電場電極及び電荷収集電極、あるいは供給器の負電極に接続された電場生成電極に隣接する電荷収集電極）に接続されてもよい。
【００２６】
いくつかの実施の形態では、システムは、加圧流体を含むコンテナに入口ポートを接続するためのコネクタを備える。コンテナは、コネクタに取り外し可能に接続されてよく、これにより空のコンテナは、加圧流体を含む新しいコンテナに交換可能であってよい。コンテナは、装置と固定的な関係を持った状態でシステムに搭載され、例えば補充ポートを通して加圧流体が補充されてもよい。いくつかの実施の形態では、例えば流体がイオン化されたガスの場合、これにより効率が改善される。例えば、負荷は、電荷収集電極の一方と接地ポテンシャルとの間に接続されてもよい。このとき電荷収集電極の他方は、接地ポテンシャルに接続されてもよい。いくつかの実施の形態では、負荷は、フローティング配置で電荷収集電極に接続されてもよい。負荷は、一方の側が電荷収集電極の一方に接続され、他方の側が電荷収集電極の他方に接続されてもよい。負荷の一方の側と、それに対応する電荷収集電極は接地されてもよい。
【００２７】
いくつかの実施の形態では、システムは、流体の流率を調整するための制御器を備える。制御器は、負荷で消費されたエネルギーを表す量を受信し、流体の流率を、負荷で消費されたエネルギーを表す量の関数として調整するように構成されてよい。追加的又は代替的に、制御器は、負荷に必要なエネルギーを表す量を受信し、流体の流率を、負荷に必要なエネルギーを表す量の関数として調整するように構成されてよい。負荷で消費されたエネルギーを表す量は、消費された電力、負荷に流れた電流、負荷での電圧降下、又はこれらの組み合わせであってよく、あるいは負荷がモータの場合、要求される速度やトルクであってもよい。制御器は、流体の流れを制御するバルブを制御してよい。制御器のいくつか又はすべては、対応する流体コンテナの上又は中に与えられてもよく、コンテナとともに取り外し可能であってもよい。
【００２８】
負荷は、電気モータであってもよく、例えば、電気又はハイブリッドの自動車、自転車、三輪車、船、列車又は飛行機などの電気式輸送機関に搭載されてもよい。負荷は、電力会社サブステーションなどの電力供給ネットワーク又は１つ以上の民間会社もしくは１つ以上の家、アパートなどの住宅ユニットの電力供給ネットワークを備えてもよい。
【００２９】
いくつかの実施の形態では、システムによって、圧力容器からの流体の流れが０．１ｍｌ／分未満に制限されてもよい。例えば圧力容器は、入口ポートに１０バールの圧力（例えば、ネオンなどの注入ガスで）が加えられたとき、通過する排出圧が０．１ｍｌ／分未満に制限されるように（例えば、排出ポートのサイズや可変バルブによって）構成された排出ポートを有してもよい。
【００３０】
第８の態様は、本明細書に記載の装置及び／又はシステムを備える電気式輸送機関に関する。第９の態様は、本明細書に記載の装置及び／又はシステムを備える電力供給ネットワークに関する。
【００３１】
さらなる態様及び実施の形態が開示される。この態様及び実施の形態では、入口ポートと排出ポートとの間にある流体の流路は、収集方向及び電場の方向に対して任意の成分を有する流れ方向（例えば、収集方向及び電場の方向のいずれか又は両方に垂直な方向）を持つ。すなわち、この態様及び実施の形態では、流体の流路の方向は、収集方向に沿う成分と電場の方向に沿う成分とを有するようには制限されない。
【００３２】
前述のいずれの態様及び実施の形態でも、流れ方向と電場の方向とのスカラー積は負であってよい。すなわち電場は、負に帯電した種（例えば電子）を、一般に流体の流れと同じ方向に加速するように作用する。これに対し流体の流れは、正に帯電した種（例えば、正のガスイオン）に対して、電場の作用と反対の作用を行う。これは、より大きな効果を与える。なぜなら、流体の流れは電子の運動よりイオンの運動により大きな影響を与え、流体の流れは正イオンの少なくとも一部が負の電荷収集電極に到達することを防ぐからである。別の実施の形態では、流れ方向と電場の方向のスカラー積は正であってもよい。この場合電場は、正に帯電した種（例えばガスイオン）を、一般に流体の流れと同じ方向に加速するように作用してよい。
【００３３】
第１の方向が一般に第２の方向に沿うこと、あるいは第１の方向が第２の方向に沿う成分を持つことは、第１の方向に沿うベクトルと第２の方向に沿うベクトルとの間に（簡単にいえば、２つの方向の間に）ゼロでないスカラー積が存在すること、あるいは２つの方向が直行しておらず、従って両方向の間に０度から９０度の角度、又は９０度から１８０度の角度（あるいは角度の測定の意味に応じて、１８０度から２７０度の角度、又は２７０度から３６０度の角度）が存在することと等価であることが理解されるだろう。
【００３４】
流体は、空気、アルゴン又はネオンなどのガスであってよい。有利なことに、アルゴン又はネオンは化学的に不活性ガスであり、これらの荷電イオンは安全に大気に開放することができる。同じことが、別の実施の形態に使うことのできる他の不活性ガスにも当てはまる。非不活性ガス（例えば酸素と窒素を含む空気）を使う実施の形態では、有毒ガスが大気に放出されるのを防ぐため、排出ポートを離れる流体内のイオンをキャプチャする及び／又は集めるキャプチャ装置の使用を含んでもよい。もちろん、他の実施の形態、例えば不活性ガスを使う形態がこのようなキャプチャ装置を使用してもよいことが理解されるだろう。
【００３５】
上記の技術のいずれにおいても、装置又はシステムは、フローチェンバ又は圧力容器に出入りする流体の流率を０．１ｍｌ／分未満（例えば、９×１０−２ｍｌ／分未満、８×１０−２ｍｌ／分未満、７×１０−２ｍｌ／分未満）に制限するように構成されてよい。あるいは、より一般的には、フローチェンバ又は圧力容器を通る流れの流率が０．１ｍｌ／分と異なるように（例えば、９×１０−２ｍｌ／分未満、８×１０−２ｍｌ／分未満、７×１０−２ｍｌ／分未満となるように、あるいは０．１ｍｌ／分より大きくなるように、例えば、０．５ｍｌ／分以上、１ｍｌ／分以上、０．０５ｌ／分以上、０．１ｌ／分以上、０．２ｌ／分以上となるように）構成されてもよい。同様に、装置及び／又はシステムは、特定の圧力（例えば１０バールと異なる圧力、例えば１０バールより高い圧力、例えば１１バール以上あるいは１２バール）で動作するように構成されてもよい。圧力は９バールより低い圧力（例えば８バール未満、７、６、５バール以下）であってもよい。いずれの場合も、圧力は、１バールより高くてもよく、２バールより高くてもよく、３バールより高くてもよく、４バールより高くてもよい。いくつかの実施の形態では、流率は実質的にゼロである。例えば、いくつかの実施の形態では、入口ポートは、圧力容器への（さらに圧力容器からの）唯一の流体連通路である。対応する方法のカテゴリーも可能であることを理解されたい。
【図面の簡単な説明】
【００３６】
以下、添付の図面を参照しながら、例示と説明を用いて、本開示の実施の形態を説明する。図面の同様の要素には同様の符号を付す。
【図１】流体の流れを用いるエネルギー貯蔵及び変換システムの実施の形態を示す図である。
【図２】エネルギー貯蔵及び変換システムの代替的な実施の形態を示す図である。
【図３】図１又は２のシステムを含む電気自動車を示す図である。
【図４】流体のエネルギーを電気エネルギーに変換する方法を示す図である。
【図５】エネルギー貯蔵及び変換システムのさらなる実施の形態を示す図である。
【図６】さらなる実施の形態の簡略化した回路図である。
【図７】エネルギー貯蔵及び変換システムのさらなる実施の形態を示す図である。
【図８】エネルギー貯蔵及び変換システムのさらなる実施の形態を示す図である。
【図９】エネルギー貯蔵及び変換システムのさらなる実施の形態を示す図である。
【図１０】エネルギー貯蔵及び変換システムのさらなる実施の形態を示す図である。
【発明を実施するための形態】
【００３７】
図１を参照すると、加圧流体内に貯蔵されたエネルギーを変換するシステム２は、加圧流体のためのリザーバ６（例えば、加圧流体コンテナ）に接続されたエネルギー変換装置４を備える。いくつかの実施の形態では、流体は、例えばアルゴンやネオンのような不活性ガスである。フローチェンバ８は、一方の端部に、流路１２によってリザーバ６に接続された流体の入口ポート１０を備える。フローチェンバ８は、上記端部と反対側の他方の端部に、流体の排出ポート１４を備える。それぞれ電荷収集メッシュ電極１５が、各端部に与えられる。これにより、入口ポート１０から排出ポート１４への（又は排出ポート１４から入口ポート１０への）流体の流れは、メッシュ電極を通って流れる。いくつかの実施の形態では、ポートは、それぞれの電極１５を通って延びるか、又はそれぞれの電極１５に注がれる。いくつかの実施の形態では、別の電気的配置が取られてもよい。例えば、各ポートを取り囲むかポートに隣接して配置されるリング電極、それぞれのポートに隣接して配置される点電極などが使われてもよい。電極１５の各々は、同じであるように構成されてもよいし、互いに異なるように構成されてもよい。電極１５は、ここで開示されるものの組み合わせであってもよいし、その他の形状であってもよい。
【００３８】
一対の電場生成電極１６が、間にフローチェンバ８を挟んで配置される。電場生成電極１６はそれぞれ、入口ポート１０，排出ポート１４に隣接する。誘電体材料１８が、各電場生成電極１６とフローチェンバ８の端部との間に、フローチェンバ８の端部に隣接して配置される。誘電体材料１８は、いくつかの実施の形態では固体であり、他の実施の形態では空気その他好適な誘電体である。従って電場生成電極１６は、フローチェンバ８から電気的に絶縁される。いくつかの実施の形態では、流路１２は誘電体材料１８を通してフローチェンバ８に接続され、及び／又は、排出流路２０が誘電体材料１８を通して排出ポート１４に接続される。いくつかの実施の形態では、排出流路２０は、排出イオントラップを通して直接又は間接に外気に流体的に接続される。
【００３９】
流体内の荷電種を分離する目的で、フローチェンバ８内に十分な強さの電場を生成するために、電流の制限された高電圧を供給する給電装置２２が、電場生成電極１６に接続される。いくつかの実施の形態では、電場は、流体をイオン化するのに十分な強さの電場である。例えば、給電装置２２によって電場生成電極間に与えられるポテンシャル差は、アルゴンを流体としてイオン化するために、６０００Ｖ／ｃｍ以上の強さの電場を生成するものであってよい。いくつかの流体では、それより小さい電場が必要とされる（例えばネオンでは、６００Ｖ／ｃｍ）。一方別の流体では、それより大きい電場が必要とされる（例えば空気では、３０ｋＶ／ｃｍ）。給電装置２２は、電気的エネルギーのソース２４（例えば２４Ｖバッテリーなどのバッテリーのような直流電源）から給電される。いくつかの実施の形態では、給電装置２２は、電流が制限されるように構成される。これにより、いくつかの実施の形態では、バッテリー（又はその他の電流源）からの電流は２Ａより小さいように制限される。いくつかの実施の形態では、給電装置２２に接続される回路内の電流（出力電流）は、例えば２Ａより小さいように制限されてよい。いくつかの実施の形態では、チェンバ８が空気で満たされスパークが発生するときは、出力電流は降伏電流によって制限される。いくつかの実施の形態では、その値は、概ね５０ｍＡ以上１００ｍＡ以下である。いくつかの実施の形態では、給電装置への入力電圧は、例えば９Ｖ以上１２Ｖ以下であってよい。いくつかの実施の形態では、給電装置２２とソース２４は、好適なソースによって予め充電された高電圧キャパシタで置き換えられてもよい。
【００４０】
ステップダウンコンバータ２６が、いくつかの実施の形態では電荷収集電極１５のポテンシャルの低い方に、別の実施の形態では電荷収集電極１５のポテンシャルの高い方に（図示されるように）、接続される。これにより、ステップダウンコンバータ２６から（すなわち装置４から）電流を流すために、電極１６の間のポテンシャル差が、ステップダウンコンバータ２６に接続された負荷２８に必要な動作電圧までステップダウンされる。負荷２８は、電荷収集電極１５に接続される。いくつかの実施の形態では、負荷の一端とこれに対応する電荷収集電極とは接地される。別の実施の形態では、負荷２８は、フローティング配置で２つの電荷収集電極１５の間に接続される。いくつかの実施の形態では、負荷２８はグランドと電荷収集電極１５の一端との間に接続され、電荷収集電極１５の他端もまた接地される。
【００４１】
いくつかの実施の形態では、電荷収集電極１５は、１ｃｍ２の面積を持ち、１．６ｃｍの間隔を空けて配置される。一方、電場生成電極は５ｃｍ２の面積を持ち、７ｃｍの間隔を空けて配置される。フローチェンバは、７ｃｍの長さを持ち、３４ｃｍ３の内部容積を持つ。リザーバ内の圧力が１０バールのとき、フローチェンバの流率は０．１ｍｌ／分（１．７×１０−３ｍｌ／秒）である。この流率の値は、流路及びポート１０、１２、１４、２０の流動抵抗、特に排出ポート１４の比較的小さい断面積と比較的大きい流体抵抗に起因する。
【００４２】
図２を参照すると、いくつかの実施の形態では、装置４は、前述の図１を参照して説明した装置４と同様に構成される（同様の部品には同様の符号を付す）。しかしながら、電荷収集電極１５と電場生成電極１６が、電荷収集と電場生成の統合電極１７で置き換えられている点で異なる。電極１７は、フローチェンバ８の各端部でフローチェンバ８内に配置され、給電装置２２に接続される。いくつかの実施の形態では、電極１７はチューブ状の電極として構成される。このとき２つの電極１７は、同じ方向に沿うように調整された軸を持つ。いくつかの実施の形態では、入口ポート１０と排出ポート１４は、各電極１７の側面に配置される。いくつかの実施の形態では、給電装置２２は、給電装置２２の正極に流入する電子による電流を防止する（又は強く制限する）ように構成される。これは、例えば給電装置２２の正極に関するダイオードを用いて実現される。
【００４３】
電荷収集と電場生成の統合電極１７は、給電装置２２のそれぞれの電極に接続される。ステップダウンコンバータ２６が、給電装置２２の電極の１つに、給電装置２２と並列に接続される。これにより、電流が電極１７から給電装置２２に逆流するのを制限する（又は防ぐ）。負荷２８が、ステップダウンコンバータ２６に接続される。特にステップダウンコンバータ２６と負荷２８は、電極１７の間に接続される。いくつかの実施の形態では、負荷の片側と電極１７の１つは接地される。いくつかの実施の形態では、負荷は、電極１７の１つ（例えばポテンシャルの低い方）とグランドとの間に接続される。このとき電極１７の他方は、回路を閉じるために接地される。
【００４４】
図３を参照すると、例えば電気自動車３０は、前述のエネルギー変換装置４に接続されたリザーバ６を含む。エネルギー変換装置４は、前述の給電装置２２と負荷２８に接続される。負荷２８は、自動車（例えば、自動車の駆動輪）を動かすための自動車のドライブトレーン３２に結合された電気モータである。いくつかの実施の形態では、リザーバ内の加圧流体６に貯蔵されたエネルギーは、自動車を動かすための唯一のエネルギー源である。いくつかの実施の形態では、リザーバ６は装置４に取り外し可能に接続され、空になったときは満杯のリザーバに交換されることができる。別の実施の形態では、リザーバ６は、取り外し可能／交換可能であろうとなかろうと、電気自動車３０の補充ポートを通して加圧流体を補充されることができる。
【００４５】
制御器３３は、１つ以上の運転者インタフェースからの入力（例えば、必要な速度又はトルク）、負荷／モータ２８からの入力（例えば、必要電流や実電流）及びリザーバ６からの入力（例えば、リザーバに関係する圧力センサ及び／又はフローセンサなどで測定されたリザーバ内圧力）を受け付ける。そして制御器３３は、給電装置２２（特に電極１６、１７の電圧）や、場合によってはリザーバ６から装置４への流体の流れを調整するバルブ（図示しない）を制御する。特定の実施の形態では、制御器３３は、適切な制御規則に基づいて（例えば、電流、フラックス、モータのトルク出力及び速度を調整するネガティブフィードバックを用いて）、印加電圧とフローを制御する。例えば、電場強度（すなわち、電極１５／１７に印加される電圧）は、必要な電力に基づいて制御されてよい。このとき電場強度は、必要な電力はとともに強くなる。いくつかの実施の形態では、適切な制御規則を実現するのに好適な制御器は、図１及び２の実施の形態で図３を参照して説明された装置に含まれる（すなわち、特定の応用と無関係に）ことが理解できるだろう。もちろん、実現される特定の制御規則や、検知量、受信量、制御量は、応用に応じて変わることが理解できるだろう。
【００４６】
次に図４を参照して、エネルギー貯蔵及び変換システムを動作させる方法を説明する。ステップ３４で、リザーバ６から装置４への流体の流れが引き起こされる。流体内の荷電種を分離するために、ステップ３６で、電極１６／１７に電場が与えられる。
いくつかの実施の形態では、流体の流れが存在せず（又は実質的に存在せず）、運動エネルギーは主に圧力に起因する熱運動によって与えられると考えられる。後述するようにこの実施の形態では、排出口を閉じた状態（又は排出口が存在しない状態）の圧力下で、かつチェンバ８を加圧流体源（例えばリザーバ６）に接続させたままで（あるいはチェンバをリザーバから隔離した状態で、流体を充填することによって、圧力がチェンバ８に与えられる。いくつかの実施の形態では、流体はガスであり、このガスは電場によってイオン化される。例えば、いくつかの実施の形態では、電場は、ガス内に暗放電又はコロナ放電を発生させる。いくつかの実施の形態では、デバイス４のジオメトリに応じて、流体は電場の方向に沿って流れる。ステップ３８で、荷電種（流体で固有の荷電種か、ガスイオンや電子などイオン化によって生成された荷電種）が、電荷収集電極１６によって収集される。荷電種は、例えば各種の運動及び／又は流れに対する電極の配置に起因して、流体の流れによって差動的に影響されてよい。その結果、状況に応じて、荷電種のあるものが排出ポート２０を通って装置４を優先的に離れ、荷電種の別のものが関係する電極１５／１７で優先的に収集されてよい。その結果、ステップ４０で、流体の流れに起因して電極１５／１７間のポテンシャル差が増した結果、過剰電荷が電流として流れ、負荷２８が電気的に動作してもよい。
【００４７】
前述のようなステップ３４における流体の流れ（例えばバルブを通る）のいずれか又は両方、あるいはステップ３６で与えられた電場（例えば、給電装置２２の電圧設定によって）は、いくつかの実施の形態では、１つ以上の検知された又は受信されたパラメータに基づいて制御されてよい。検知されたパラメータは、負荷によって消費されたエネルギーを表してもよい。また受信されたパラメータ、負荷に必要なエネルギーを表してもよい。さらに制御は、リザーバ６内の圧力のような、検知されたパラメータに基づいてもよい。さらに、例えば前述のように流体がガスである場合、給電装置２２による電圧は、流体をイオン化するのに十分な電場を与えるために必要な電力に基づいて、装置４が必要な電力を供給できるように制御される。いくつかの実施の形態では、電圧は時間とともに変化してよい。例えばいくつかの実施の形態では、最初に給電装置２２は、ガス内で放電が起こるまで及び／又はプラズマが生成されるまで高い電圧を与える。その後電圧は、放電又はプラズマを維持するのに必要なより低いレベルまで減少する。流体を効率的に利用し、必要な電力を与えるために、電場強度の制御は、フィードバック、時間プロトコル又はその両方に基づいてもよい。
【００４８】
例えばリザーバ６内の圧力、及び／又は、必要な又は実際に負荷で消費される電力（又は関連する測定値、前述を参照）は変化する。従って流率は、可能な限り実質的に一定であるように制御されてよい。いくつかの実施の形態では、制御器は、流率及び／又は供給電圧を増加させることによって、必要な電力／消費される電力に応答してもよい。追加的又は代替的に、いくつかの実施の形態では、制御器は、例えばフローチェンバ８内の圧力センサからの信号に応答して、フローチェンバ８内の圧力を制御してもよい。流率及び／又は圧力は、一方では入口流路及びポート１２、１０の流体抵抗を制御することにより、他方では排出流路及びポート１４、２０の流体抵抗を制御することにより、制御されてもよい。例えばある実施の形態では、流路１２、１４のいずれか一方又は両方にスロットルバルブが与えられてもよく、及び／又は、ポート１０、２０は可変開口を備えてもよい。いくつかの実施の形態では、スロットルバルブ及び／又は可変開口は状況に応じて、制御器によって制御されてよい（例えば、前述のように流率及び／又は圧力を制御することにより）。
【００４９】
前述の制御態様は、前述のすべての実施の形態（図１、２又は３を参照して説明したものや、以下の流れる流体に関する実施の形態を含む）に適用可能であることが理解されるだろう。
【００５０】
いくつかの実施の形態では、流れの方向及び電場の方向は、一般に反対を向いてよい（すなわち負のスカラー積を持つ）。これらの実施の形態では、正の荷電種は、電場及び流れによって、異なる方向に運動するようにバイアスされる。動作流体としてイオン化されたガスが使われる場合、これは、ガス中の正イオンが、流れによって、対応する電荷収集電極１６／１７から実効的に吹き飛ばされ、実効的に装置４から分離することを意味する。一方、より高速な電子の運動が流体の流れから受ける影響はより少ないが、いずれにしても、流体の流れによって、対応する電荷収集電極１６／１７に向かうようにバイアスされる。しかしながらいくつかの実施の形態では、流体の流れと電場の相対的方向は、反転してもよい。
【００５１】
前述の図１を参照して説明した特定の実施の形態の性能が、給電装置２２の入力電圧を９Ｖから１２Ｖに変化させることによって特徴付けられた。このとき流率は０．１ｍｌ／分の固定値であり、リザーバ圧力は１０バールであり、供給電流は２Ａの固定値であり、負荷は２つある。この結果、電力の変化が、閾値入力電圧を超えて負荷で消費された。
給電装置の出力電圧は、閾値入力電圧で約３０ｋＶであり、最大入力電圧１２Ｖで約４５ｋＶであった。いくつかの結果が以下の表に示される。
【表１】
2022500985.tif 000003
【００５２】
図５を参照すると、システム２のいくつかの実施の形態では、電荷収集電極１０、１４はタングステン（例えば、トリエーテッドタングステンや、フローチェンバ８（例えば、クォーツチェンバ又はガラス／シリカチェンバ）の壁面及び電荷収集電極を取り巻く壁面シールを貫いて配置されたロッド）である。各実施の形態における圧力及び温度に耐える任意の非導電性材料を使うことができると理解されたい。同様に、任意の好適な電極材料を使うこともできる。チェンバ８に対する注入口１２及び排出口２０の向きは、流体がチェンバ８を実質的に斜めに横切って流れるような向きである。図５には、チェンバ８とその部品のみが示され、明確化のため、その他の要素（いくつかの実施の形態では、図１に示されている）は省かれている。図６に、簡略化された回路図が示される。図６では、デバイス４が、電荷収集電極１０、１４に対応する正極及び負極を備えた電圧源によって示される。
【００５３】
いくつかの実施の形態（例えば、前述の任意の実施の形態）では、ステップ３６で、与えられる電場がパルス化される。すなわち給電装置２２の出力電圧は、電場の強度のパルス化された波形／パルスの連続を含む電極１６間のポテンシャルを生成するために、パルス化される。例えば、パルスは複雑な形状（例えば、パルス幅が１ｍｓで、周期４ｍｓの、両側に小さなパルスを持つ大きなパルス）をしていてもよい。他の形状のパルス（例えば、実質的にシルクハット型、正弦波形、釣鐘型その他の任意の好適な形状）が使われてもよいことを理解されたい。いくつかの実施の形態では、追加的又は代替的に、チェンバ８内のイオン化を促進するために、チェンバ８（例えば、具体的には電荷収集電極）は、波長が１２０ｎｍ以上８２０ｎｍ以下の電磁放射（例えば、紫外光）を照射されてもよい。従ってこのような実施の形態では、チェンバを照射するために、対応する放射源／光源（図示せず）がチェンバ８に対して配置されてもよい。
【００５４】
図５の実施の形態を用いてパルス電場を与え、チェンバ８を流れるガス流（ネオンガス）に関し、１分間のランタイムの実験を行った。そのパラメータ及び結果を以下に示す。
【表２】
2022500985.tif 000004
【００５５】
ポテンシャル差は、電極１６全体にわたるパルス化されたポテンシャル差、すなわち給電装置２２のパルス化された出力（前述の例で、最大強度５０ｋｖ、ｒｍｓ４ｋｖの波形を持つもの）に相当する。抵抗値は、図６の負荷／抵抗測定値である。このとき、実験全体を通した電圧の２乗平均平方根は、オシロスコープを用いて測定される。電流と電力のＲＭＳ値は、負荷抵抗値を基に計算される。入力電力は、ポテンシャル差を生成するために、給電装置２２に供給される電力である。流率（リットル／分）及びガス圧は、それぞれチェンバ９内の流率及びガス圧を指す。負荷内で消費された電力のＲＭＳの計算値は、入力電力より大きいことが分かる。その電力差は、加圧されイオン化されたガスの流れの運動エネルギーによってもたらされると考えられる。
【００５６】
一定に与えられた電場に関し（その他の実験パラメータは前述のものと同じである）、対応するデータが以下の表に示される。
【表３】
2022500985.tif 000005
【００５７】
パルス化された電場を与えることにより、加圧されたガスの流れからより効率的にエネルギーを引き出すことができることが分かる。すなわち、負荷全体で消費される電力と入力電力との比は、パルス化された電場では６８、一定電場では３９と計算される。
【００５８】
図７を参照すると、前述の実施の形態のある変形例では、単一の電荷収集電極１４がチェンバ８内に配置される。この単一の電荷収集電極１４は、フローティング又は接地により負荷に接続されてよい。
【００５９】
図８を参照すると、前述のすべての実施の形態のいくつかの変形例では、電荷収集電極１０、１４上の電荷蓄積を増加させるための、電流発生遅延手段が与えられる。特にいくつかの実施の形態では、電荷収集電極１０、１４の自由端５０は、チェンバ８に対して密封されたさらなる各チェンバ５２内に閉じ込められる。さらなる各チェンバ５２には、さらなる各注入口を通して、降伏電圧の低い不活性ガス（例えば、ネオン）が注入される。さらなる各電極５６（例えば、タングステン電極）が、チェンバ５２の壁を通して密閉的に、自由端５０と並列して配置される。これにより、自由端５０とこれに対応するさらなる電極５６との間に火花間隙が形成される。電荷収集電極１０、１４の代わりに、さらなる電極５６がシステム２の残りの部分（図示せず）に接続される。
【００６０】
チェンバ８を通して流体が流れると、加えられた電場により当該流体がイオン化される。それとともに、電荷収集電極１０、１４間のポテンシャル差が、さらなるチェンバ３２内の火花間隙での不活性ガスの降伏電圧を超えるまで、電荷収集電極１０、１４上に電荷が蓄積する。この火花間隙で放電が発生し、放電が持続する限りさらなる電極３６を通して電流が流れる。このように、放電を発生させるのに十分な電荷が電荷収集電極１０、１４上に蓄積されるまでの間、電流の発生が遅延することが分かる。もちろん、他の任意の電流発生遅延手段（火花間隙の代わりに、例えば、電圧トリガー型リレー、スイッチ、ダイオード、時間スイッチなどを用いたもの）を使ってもよいことを理解されたい。
【００６１】
上で簡単に説明したように、加圧された流体内に蓄積したエネルギーは、主に又は排他的に流体自体をに加圧することによって、電気エネルギーに変換することができる。前述の流れベースの実施の形態は、例えば止水栓を使って、永久に又は取外し可能に排出口２０を閉じることによって、圧力ベースの実施の形態に変えることもできる。いくつかの実施の形態では、図９に示されるように、チェンバ８は、排出口２０を完全に取り除いたものに変えられる。これによりチェンバ８は、注入口１２のみを通して流体連通する。
【００６２】
図５及び６の実施の形態を用いて、排出口２０を閉じ、圧力ベースのエネルギー変換に関する１分間のランタイムの実験を行った。パルス化された電場に関し、そのパラメータ及び結果を以下に示す（その他のパルス化された、前述の流れベースのものと同じである）。実験の最初に、チェンバは圧力１０バールのネオンガスで満たされた。その後ガス供給が止められ、チェンバは密封された。実験中に圧力低下が観測されたが、これはエネルギー変換によるものと考えられる。なぜなら、コレクタからの電流引き込みがなければ、同じ期間に圧力は実質的に一定だからである。
【表４】
2022500985.tif 000006
【００６３】
１分間の全ランタイム中の電力のｒｍｓが計算され、ランタイム中の圧力変化の間で平均化される。
【００６４】
前述の流れの実施の形態と同様に、圧力ベースの実施の形態も、パルス化された又は一定の電場を与えて扱うことができる（他の実験パラメータは変えずに）。実験パラメータ及び結果を以下の表に示す。
【表５】
2022500985.tif 000007
【００６５】
表から分かるように、前述の流れベースの実験と同様の傾向が見られる。完璧を期すために、入力パワーが比較的低いのは別の電源を使ったためであり、給電装置２２による電流引き込みが低いのは（電場電極を一定に充電及び放電するのと逆に）電場を一定に保つためであることに注意されたい。
【００６６】
前述のように、任意の流れベースの実施の形態は、排出口２０を閉じることにより圧力ベースの実施の形態に変えることができる。いくつかの実施の形態では、図９に示されるように、チェンバ８は、排出口２０を完全に取り除いたものに変えられる。これにより、他の実施の形態におけるデバイス４の部品を変えることなく、チェンバ８は、注入口１２のみを通して流体連通する。いくつかの実施の形態では、図１０に示されるように、隔壁５８（例えば、クォーツウィンドウ）が、チェンバ８を２つの部分に密閉的に隔てる。２つの部分のそれぞれは、電荷収集電極１０、１４の一方を備える。排出口２０は、さらなる注入口１２として接続される。これにより、チェンバ８のそれぞれの部分は、加圧流体源に接続されたそれぞれの注入口１２を備える。他の実施の形態におけるデバイス４の部品を変えることなく、圧力は、チェンバ８のそれぞれの部分で独立に保たれる。いくつかの実施の形態では、チェンバは、チェンバ壁と隔壁５８とを備える統合部品として製造される。
【００６７】
以上、本開示の態様を示すために、特定の実施の形態を、例示を用いて説明した。本発明の範囲は、添付の請求項で説明されることが理解されるだろう。本発明の範囲内で、例えば前述のような多くの変形や、異なる特徴の組み合わせが可能であることが当業者には明らかだろう。さらに、本実施形態の方法のステップの順番は適切に変更可能であり、ステップのいくつか又はすべてが時間的に一部又は完全にオーバーラップして実行されてよいことも理解されるだろう。同様に、前述の様々な実施の形態の特徴は、適切に組み合わされてもよい。いくつかの実施の形態は流れる流体に基づき、別の実施の形態は流れを伴わない（又は最小の流れを伴う）加圧に基づく。応用上、前述の流れに基づく特徴は加圧に基づく特徴に応用可能であり、その逆も真であることを理解されたい。本開示で「荷電種」（それぞれ正、及び負の）というとき、それぞれの種は単一の実体（例えば、それぞれ、単独で帯電した正電荷イオン、電子）であってもよいし、それぞれが例えば亜種（例えば、それぞれが異なる電荷を持つ正に帯電したガス）を備えてもよい。同様の考察は、流体が溶液中にそれぞれのイオンが含まれる液体溶液である実施の形態にも当てはまる。
【００６８】
疑念を排除するために、いくつかの態様及び実施の形態を以下のリストで提示する。
【００６９】
１．流体の運動エネルギーを電気エネルギーに変換する装置であって、
フローチェンバと、
一対の電荷収集電極と、
電場生成器と、を備え、
前記フローチェンバは、流体の入口ポートと流体の排出ポートとを備え、
前記一対の電荷収集電極は、収集方向に沿って互いに間隔をあけて配置され、前記フローチェンバ内に配置され、
前記電場生成器は、前記流体内の荷電種を分離するために、前記フローチェンバ内に電場の方向に沿った電場を生成するように構成され、
前記流体の前記入口ポートと前記流体の前記排出ポートとの間の流路が、前記収集方向に沿う成分と前記電場の方向に沿う成分とを有する流れ方向を持つことを特徴とする装置。
【００７０】
２．前記電場は、前記流体をイオン化するためのイオン化電場であることを特徴とする項番１に記載の装置。
【００７１】
３．前記電場生成器は、一対の電場生成電極を備え、
前記一対の電場生成電極は、前記電場の方向に沿って間隔をあけて配置され、前記フローチェンバの両側に配置されることを特徴とする項番１または２に記載の装置。
【００７２】
４．前記電場生成電極は、前記フローチェンバから電気的に絶縁されていることを特徴とする項番３に記載の装置。
【００７３】
５．前記電場の方向と前記収集方向とは、実質的に平行であることを特徴とする項番１から４のいずれかに記載の装置。
【００７４】
６．前記収集方向と前記流れ方向とは、実質的に平行であることを特徴とする項番１から５のいずれかに記載の装置。
【００７５】
７．前記電荷収集電極の中心軸は、前記流路の少なくとも一部に相当する軸と一致することを特徴とする項番１から６のいずれかに記載の装置。
【００７６】
８．前記流路は、前記電荷収集電極を通ることを特徴とする項番１から７のいずれかに記載の装置。
【００７７】
９．前記電荷収集電極は、メッシュ電極であることを特徴とする項番１から８のいずれかに記載の装置。
【００７８】
１０．流体の運動エネルギーを電気エネルギーに変換するシステムであって、
項番１から９のいずれかに記載の装置と、
イオン化された電場を生成するための、電流制限電圧供給装置と、
前記電荷収集電極の１つに接続された負荷と、を備えることを特徴とするシステム。
【００７９】
１１．加圧流体を含むコンテナに前記入口ポートを接続するためのコネクタを備えることを特徴とする項番１０に記載のシステム。
【００８０】
１２．前記コンテナは、前記コネクタに取り外し可能に接続され、
これにより空のコンテナは、加圧流体を含む新しいコンテナに交換可能であることを特徴とする項番１１に記載のシステム。
【００８１】
１３．前記流体の流率を調整するための制御器を備えることを特徴とする項番１０から１２のいずれかに記載のシステム。
【００８２】
１４．前記制御器は、前記負荷で消費されたエネルギーを表す量を受信し、前記流体の流率を、前記負荷で消費されたエネルギーを表す量の関数として調整するように構成されることを特徴とする項番１３に記載のシステム。
【００８３】
１５．前記制御器は、前記負荷に必要なエネルギーを表す量を受信し、前記流体の流率を、前記負荷に必要なエネルギーを表す量の関数として調整するように構成されることを特徴とする項番１３または１４に記載のシステム。
【００８４】
１６．前記負荷は、電気モータであることを特徴とする項番１０から１５のいずれかに記載のシステム。
【００８５】
１７．前記電気モータは、例えば、電気またはハイブリッドの自動車、自転車、三輪車、船、列車または飛行機などの電気式輸送機関に搭載されることを特徴とする項番１６に記載のシステム。
【００８６】
１８．前記負荷は、電力会社サブステーションなどの電力供給ネットワークまたは１つ以上の民間会社もしくは住宅ユニットの電力供給ネットワークを備えることを特徴とする項番１０から１５のいずれかに記載のシステム。
【００８７】
１９．加圧流体のポテンシャルエネルギーを電気エネルギーに変換する方法であって、
フローチェンバを通る流れ方向に沿った前記加圧流体の流れを発生させるステップと、
前記フローチェンバを流れる前記流体に電場を与えるステップと、
正および負の荷電種の１つまたは各々の少なくとも一部を、それぞれの電流収集器で収集するステップと、
電気エネルギーを与えるために、前記電流収集器の１つから負荷に電流を流すステップと、を備え、
前記流れを発生させるステップにより、前記加圧流体のポテンシャルエネルギーが、流体の流れの運動エネルギーに変換され、
前記電場は前記流れ方向に沿う成分を有する電場の方向を持ち、これにより、前記流体の正および負の荷電種が前記電場の方向に沿って分離され、
前記正および負の荷電種の一方は、前記流れ方向の成分を有する方向に運動するようにバイアスされ、
前記正および負の荷電種の他方は、前記流れ方向と逆方向の成分を有する方向に運動するようにバイアスされることを特徴とする方法。
【００８８】
２０．正および負の荷電種を含むイオン化された流体を生成するために、流れる前記流体に前記電場を与えることにより、前記流体をイオン化するステップを備えることを特徴とする項番１９に記載の方法。
【００８９】
２１．前記流体をイオン化するステップは、プラズマを生成するステップを備えることを特徴とする項番２０に記載の方法。
【００９０】
２２．前記流体をイオン化するステップは、暗放電またはコロナ放電などの放電を発生させるステップを備えることを特徴とする項番２０または２１に記載の方法。
【００９１】
２３．前記負荷で消費されたエネルギーを表す量を検知するステップと、
前記流体の流率を、前記負荷で消費されたエネルギーを表す量の関数として調整するステップと、を備えることを特徴とする項番１９から２２のいずれかに記載の方法。
【００９２】
２４．前記負荷に必要なエネルギーを表す量を受信するステップと、
前記流体の流率を、前記負荷に必要なエネルギーを表す量の関数として調整するステップと、を備えることを特徴とする項番１９から２３のいずれかに記載の方法。
【００９３】
２５．前記流れ方向と前記電場の方向とのスカラー積は負であることを特徴とする項番１から２４のいずれかに記載の装置、システム、または方法。
【００９４】
２６．前記流れ方向と前記電場の方向とのスカラー積は正であることを特徴とする項番１から２４のいずれかに記載の装置、システム、または方法。
【００９５】
２７．前記流体は、空気、アルゴンまたはネオンなどのガスであることを特徴とする項番１から２６のいずれかに記載の装置、システム、または方法。
【００９６】
２８．前記流体は、不活性ガスであることを特徴とする項番１から２７のいずれかに記載の装置、システム、または方法。
【００９７】
２９．流体の運動エネルギーを電気エネルギーに変換する装置であって、
フローチェンバと、
一対の電荷収集電極と、
電場生成器と、を備え、
前記フローチェンバは、流体の入口ポートと流体の排出ポートとを備え、
前記一対の電荷収集電極は、収集方向に沿って互いに間隔をあけて配置され、前記フローチェンバ内に配置され、
前記電場生成器は、前記流体内の荷電種を分離するために、前記フローチェンバ内に電場の方向に沿った電場を生成するように構成されることを特徴とする装置。
【００９８】
３０．加圧流体のポテンシャルエネルギーを電気エネルギーに変換する方法であって、
前記加圧流体のフローチェンバを通る流れ方向に沿った流れを発生させるステップと、
電場生成器で、前記フローチェンバを流れる前記流体に電場を与えるステップと、
正および負の荷電種の１つまたは各々の少なくとも一部を、それぞれの電流収集器で収集するステップと、
電気エネルギーを与えるために、前記電流収集器の１つから負荷に電流を流すステップと、を備え、
前記流れを発生させるステップにより、前記加圧流体のポテンシャルエネルギーが、流体の流れの運動エネルギーに変換されることを特徴とする方法。
【００９９】
３１．前記電場生成器は、一対の電場生成電極を備え、
前記一対の電場生成電極は、前記電場の方向に沿って間隔をあけて配置され、前記フローチェンバの両側に配置され、
前記電場生成電極は、前記フローチェンバから電気的に絶縁されることを特徴とする項番２９に記載の装置、または項番３０に記載の方法。
【０１００】
これらの技術のいずれにおいても、与えられる電場はパルス化された電場であってよく、及び／又は、フローチェンバは電磁放射（例えば、紫外線又は波長が１２０ｎｍ以上８２０ｎｍ以下の電磁放射）で照射されてよい。追加的又は代替的に、電極に電荷が蓄積するまで電流の発生を遅延させてよい。追加的又は代替的に、上記の技術に対する特定の又は任意の変形例において、一対の電荷収集電極を単一の電荷収集電極で置き換えてもよい。
【０１０１】
上記の技術のいずれにおいても、装置又はシステムは、フローチェンバ又は圧力容器に出入りする流体の流率を０．１ｍｌ／分未満（例えば、９×１０−２ｍｌ／分未満、８×１０−２ｍｌ／分未満、７×１０−２ｍｌ／分未満）に制限するように構成されてよい。あるいは、より一般的には、フローチェンバ又は圧力容器を通る流れの流率が０．１ｍｌ／分と異なるように（例えば、９×１０−２ｍｌ／分未満、８×１０−２ｍｌ／分未満、７×１０−２ｍｌ／分未満となるように、あるいは０．１ｍｌ／分より大きくなるように、例えば、０．５ｍｌ／分以上、１ｍｌ／分以上、０．０５ｌ／分以上、０．１ｌ／分以上、０．２ｌ／分以上となるように）構成されてもよい。同様に、装置及び／又はシステムは、特定の圧力（例えば１０バールと異なる圧力、例えば１０バールより高い圧力、例えば１１バール以上あるいは１２バール）で動作するように構成されてもよい。圧力は９バールより低い圧力（例えば８バール未満、７、６、５バール以下）であってもよい。いずれの場合も、圧力は、１バールより高くてもよく、２バールより高くてもよく、３バールより高くてもよく、４バールより高くてもよい。いくつかの実施の形態では、流率は実質的にゼロである。例えば、いくつかの実施の形態では、入口ポートは、圧力容器への（さらに圧力容器からの）唯一の流体連通路である。対応する方法のカテゴリーも可能であることを理解されたい。
【図１】
2022500985.tif 000008
【図２】
2022500985.tif 000009
【図３】
2022500985.tif 000010
【図４】
2022500985.tif 000011
【図５】
2022500985.tif 000012
【図６】
2022500985.tif 000013
【図７】
2022500985.tif 000014
【図８】
2022500985.tif 000015
【図９】
2022500985.tif 000016
【図１０】
2022500985.tif 000017
【国際調査報告】
2022500985.tif 000018
2022500985.tif 000019
2022500985.tif 000020
2022500985.tif 000021